(57)【要約】【課題】最短撮影距離を１ｍまで短くしても、フォーカシングによる移動量が大きくならず、レンズ全長が短くコンパクトである大口径比内焦式の望遠ズームレンズを提供すること。【解決手段】物体側より順に、正の屈折力を持つ第１レンズ群、負の屈折力をもつ第２レンズ群、正の屈折力を持つ第３レンズ群、正の屈折力をもつ第４レンズ群で構成し、前記第２レンズ群及び第３レンズ群を光軸に沿って移動させて変倍を行う望遠ズームレンズにおいて、前記第１レンズ群は凹レンズと凸レンズの接合レンズによって構成した前群Ｇ１Ｆと凹レンズ、凸レンズ、凸レンズの３枚で構成した後群Ｇ１Ｒとから構成され、前記第１レンズ群の前記後群Ｇ１Ｒを光軸に沿って移動させて合焦を行い、前記第１レンズ群の焦点距離をｆ1とし、広角端焦点距離をｆｗとしたとき  (1)  1.3  ＜    ｆ１  /  ｆｗ  ＜  1.9の条件を満足することを特徴とする大口径比内焦式の望遠ズームレンズ【選択図】図１
2008216480.tif 000002
【特許請求の範囲】
【請求項１】
物体側より順に、正の屈折力を持つ第１レンズ群、負の屈折力をもつ第２レンズ群、正の屈折力を持つ第３レンズ群、正の屈折力をもつ第４レンズ群で構成し、前記第２レンズ群及び第３レンズ群を光軸に沿って移動させて変倍を行う望遠ズームレンズにおいて、
前記第１レンズ群は凹レンズと凸レンズの接合レンズによって構成した前群Ｇ１Ｆと凹レンズ、凸レンズ、凸レンズの３枚で構成した後群Ｇ１Ｒとから構成され、前記第１レンズ群の前記後群Ｇ１Ｒを光軸に沿って移動させて合焦を行い、前記第１レンズ群の焦点距離をｆ1とし、広角端焦点距離をｆwとしたとき、
（1）    1.3  ＜    ｆ１  /  ｆｗ  ＜  1.9
の条件を満足することを特徴とする大口径比内焦式の望遠ズームレンズ。
【請求項２】
前記第１レンズ群中の前群Ｇ１Ｆは凹レンズと凸レンズの接合レンズによって構成し、前記前群Ｇ１Ｆの焦点距離をｆ１１としたとき、
（2）    -20.0  ＜    f11  /  ｆｗ    ＜  -9.5
の条件を満足することを特徴とする請求項１に記載の大口径比内焦式の望遠ズームレンズ。
【請求項３】
前記第１レンズ群中の後群Ｇ１Ｒは凹レンズ、凸レンズ、凸レンズで構成し、凹レンズの被写体側の曲率半径をR1Rとしたとき、
（3）    75.0  ＜  R1R  ＜  140.0
の条件を満足することを特徴とする請求項２に記載の大口径比内焦式の望遠ズームレンズ。
【請求項４】
前記第１レンズ群中の前群Ｇ１Ｆは凹レンズと凸レンズの接合レンズによって構成し、前記前群Ｇ１Ｆの焦点距離をｆ11としたとき、
（4）    9.0  ＜  ｜  ｆ11  ｜/  ｆｗ  ＜  20.0
の条件を満足することを特徴とする請求項１に記載の大口径比内焦式の望遠ズームレンズ。
【請求項５】
前記第１レンズ群中の前群Ｇ１Ｆの凸レンズのアッベ数をνn1としたとき、
（5）    62.0  ＜  νn1  ＜  100
の条件を満足することを特徴とする請求項１に記載の大口径比内焦式の望遠ズームレンズ。
【請求項６】
前記第３レンズ群、及び第４レンズ群の凸レンズの少なくとも一つは、
（6）    62.0  ＜  ν  ＜  100
の条件を満足することを特徴とする請求項１に記載の大口径比内焦式の望遠ズームレンズ。
【請求項７】
前記第４レンズ群内に開口絞りを配置したことを特徴とする請求項１に記載の大口径比内焦式の望遠ズームレンズ。
【発明の詳細な説明】
【技術分野】
【０００１】
本発明は、デジタルカメラ及び３５mm判フィルムカメラで使用される大口径の望遠ズームレンズ、さらに詳しくは、ズーム比３倍程度、Ｆナンバー２．８程度で前群の一部をフォーカシング群とした大口径比内焦式の望遠ズームレンズに関する。
【背景技術】
【０００２】
広角端の焦点距離が７０mm程度で、ズーム比３倍程度、ズーミング作動によっても変化しないレンズＦナンバー２．８であるスペックを持つズームレンズは、一般的に、正屈折力を持つ第１レンズ群、負屈折力を持つ第２レンズ群、正屈折力を持つ第３レンズ群、正屈折力を持つ第４レンズ群で構成される（例えば、特許文献１及び２参照）。これらのズームレンズにおいて、ズーミング作動は、第１群、第４群を固定のまま、第２群と第３群を移動させて行い、フォーカシング作動は、第１レンズ群（前玉フォーカス）又は第１群の一部を移動させて行ういわゆる前玉インナーフォーカスで行うものが周知である。
よく知られている。
【０００３】
さらに小型化を行うために、前記前玉インナーフォーカスズームレンズにおいて、フォーカスレンズをズーミング作動においても移動させる構成が提案されている（例えば、特許文献３参照）。
【０００４】
【特許文献１】特許第3266653号公報
【特許文献２】特許第3491136号公報
【特許文献３】特許第3397440号公報
【発明の開示】
【発明が解決しようとする課題】
【０００５】
特許文献１及び２において、前玉フォーカスよりも収差変動を抑えることができる前玉インナーフォーカスレンズでも、最短撮影距離は１．５〜１．４ｍ程度である。最短撮影距離を１ｍまで短くすると、フォーカシングによる移動量が大きくなるため、レンズ全長が大きくなってしまう。また、フォーカス群のレンズ径を小さくするために第１群前部と第１群後部の屈折力を決めており、第１群前部の屈折力が強くなっている。その結果、望遠端側の近距離合焦では球面収差が大きく補正不足になり、性能が悪化し、最短合焦で周辺像にケラレが生じる等の問題があった。
特許文献３において、フォーカシングレンズのレンズ径を小さくするために、ズーミング作動でもフォーカスレンズを移動させると、フォーカシング作動において光線ケラレが生じる問題があった。
【０００６】
一般的に、第１レンズ群を前群と後群に分割し、後群で合焦を行う、いわゆる前玉インナーフォーカスレンズは、大口径比望遠ズームレンズに広く使われている。この大口径比望遠ズームレンズにおいて物体距離を短くしてくると、繰り出し量が多くなるため、第１レンズ群の全長が大型化する。繰り出し量を小さくする目的で後群の屈折力を強めると、曲率半径が小さくなり、かつレンズ径を確保するためにレンズ厚さが厚くなり、結果としてレンズ径方向も大型化する。第１レンズ群以外のレンズ群の屈折力を強めてレンズ系の小型化を図ると、球面収差変動が大きくなり、また、像面湾曲が大きくなるという欠点がある。
【０００７】
（発明の目的）
本発明は、従来の大口径比内焦式の望遠ズームレンズの上述した問題点に鑑みてなされたものであって、最短撮影距離を１ｍまで短くしても、フォーカシングによる移動量が大きくならず、レンズ全長が短くコンパクトである大口径比内焦式の望遠ズームレンズを提供することを目的とする。
また、望遠端における近距離合焦においても球面収差が十分に補正することができ、かつ最短合焦で周辺像にケラレが生じることがない大口径比内焦式の望遠ズームレンズを提供することを目的とする。
さらに、ズーミング作動におけるフォーカスレンズ移動によっても光線ケラレが生じない大口径比内焦式の望遠ズームレンズを提供することを目的とする。
【課題を解決するための手段】
【０００８】
本発明は、物体側より順に、正の屈折力を持つ第１レンズ群、負の屈折力をもつ第２レンズ群、正の屈折力を持つ第３レンズ群、正の屈折力をもつ第４レンズ群で構成し、前記第２レンズ群及び第３レンズ群を光軸に沿って移動させて変倍を行う望遠ズームレンズにおいて、
前記第１レンズ群は凹レンズと凸レンズの接合レンズによって構成した前群Ｇ１Ｆと凹レンズ、凸レンズ、凸レンズの３枚で構成した後群Ｇ１Ｒとから構成され、
前記第１レンズ群の前記後群Ｇ１Ｒを光軸に沿って移動させて合焦を行い、
前記第１レンズ群の焦点距離をｆ1とし、広角端焦点距離をｆｗとしたとき
（1）    1.3  ＜    ｆ１  /  ｆｗ  ＜  1.9
の条件を満足することを特徴とする大口径比内焦式の望遠ズームレンズである。
【０００９】
本発明の実施態様は以下のとおりである。
前記第１レンズ群中の前群Ｇ１Ｆは凹レンズと凸レンズの接合レンズによって構成し、前記前群Ｇ１Ｆの焦点距離をｆ１１としたとき
（2）    -20.0  ＜    f11  /  ｆｗ    ＜  -9.5
の条件を満足することを特徴とする大口径比内焦式の望遠ズームレンズである。
【００１０】
前記第１レンズ群中の後群Ｇ１Ｒは凹レンズ、凸レンズ、凸レンズで構成し、凹レンズの被写体側の曲率半径をR1Rとしたとき
（3）    75.0  ＜  R1R  ＜  140.0
の条件を満足することを特徴とする大口径比内焦式の望遠ズームレンズである。
【００１１】
前記第１レンズ群中の前群Ｇ１Ｆは凹レンズと凸レンズの接合レンズによって構成し、前記前群Ｇ１Ｆの焦点距離をｆ11としたとき
（4）    9.0  ＜  ｜  ｆ11  ｜/  ｆｗ  ＜  20.0
の条件を満足することを特徴とする大口径比内焦式の望遠ズームレンズである。
【００１２】
前記第１レンズ群中の前群Ｇ１Ｆの凸レンズのアッベ数をνn1としたとき、
（5）    62.0  ＜  νn1  ＜  100
の条件を満足することを特徴とする大口径比内焦式の望遠ズームレンズである。
【００１３】
前記第３レンズ群、及び第４レンズ群の凸レンズの少なくとも一つは
（6）    62.0  ＜  ν  ＜  100
の条件を満足することを特徴とする大口径比内焦式の望遠ズームレンズである。
【００１４】
開口絞りを前記第４レンズ群内に置くことを特徴とする大口径比内焦式の望遠ズームレンズである。
【発明の効果】
【００１５】
本発明の大口径比内焦式の望遠ズームレンズによれば、最短撮影距離を１ｍまで短くしても、フォーカシングによる移動量が大きくならず、レンズ全長が短くコンパクトである、変倍比３倍程度、Ｆナンバー２．８程度の大口径比内焦式の望遠ズームレンズを構成できる。
【００１６】
本発明の大口径比内焦式の望遠ズームレンズによればまた、望遠端における近距離合焦においても球面収差が十分に補正することができ、かつ最短合焦で周辺像にケラレが生じることがない大口径比内焦式の望遠ズームレンズを構成できる。
本発明の大口径比内焦式の望遠ズームレンズによればさらに、ズーム操作におけるフォーカスレンズ移動によっても光線ケラレが生じない大口径比内焦式の望遠ズームレンズを構成できる。
【００１７】
（構成条件の説明）
本発明の大口径比内焦式の望遠ズームレンズは、物体側から順に正屈折力の第１レンズ群、負屈折力の第２レンズ群、正屈折力の第３レンズ群、正屈折力の第４レンズ群からなり、第２レンズ群及び第３レンズ群を光軸に沿って移動させることによって、広角端焦点距離状態から望遠端焦点距離状態までの変倍を行う。また、第１レンズ群は凹レンズと凸レンズの接合レンズによって構成した前群Ｇ１Ｆと凹レンズ、凸レンズ、凸レンズの３枚で構成した後群Ｇ１Ｒとから構成され、後群Ｇ１Ｒを光軸に沿って移動させることによって合焦を行う、いわゆる内焦式である。
【００１８】
（1）    1.3  ＜    ｆ１  /  ｆｗ  ＜  1.9
ここで、ｆ１は第1レンズ群の焦点距離、ｆｗは広角端焦点距離を表す。
条件式(1)の上限値を上回ると、第1レンズ群の屈折力が弱くなるため、レンズ系全体が大型化する。下限値を下回ると、合焦レンズである後群G1Rの屈折力も強くなるため、望遠側で、合焦による球面収差変動が大きくなり、好ましくない。
第１レンズ群は、合焦で移動しない前群Ｇ１Ｆと合焦のために移動する後群Ｇ１Ｒで構成されている。合焦による色収差変動を抑えるために、前群Ｇ１Ｆは凹レンズと凸レンズの接合とし、後群Ｇ１Ｒは前群Ｇ１Ｆと同様に凹レンズ、凸レンズの接合レンズを含む３枚構成とした。
【００１９】
（2）    -20.0  ＜    f11  /  ｆｗ    ＜  -9.5
条件式(2)は、前記第１レンズ群の内、前群Ｇ１ＦＦの屈折力を適切に規定する。前群Ｇ１Ｆは色収差補正のため、凹レンズと凸レンズの接合としたが、物体距離を短くしても光線のケラレがなく、かつ合焦の移動量を小さくするために、負の屈折力とした。負の屈折力とすることで、前群Ｇ１Ｒでは光線が発散するため、物点距離を０．９５mまでとしてもケラレが発生しない。条件式(2)の上限値を上回ると、発散作用が強くなるため、後群Ｇ１Ｒのレンズ径が大型化する。また後群Ｇ１Ｒの屈折力も強くなるため、合焦による球面収差変動が大きくなる。条件式（2）の下限値を下回ると、前群Ｇ１Ｒの負屈折力が弱まり、後群Ｇ１Ｒの正屈折力も弱くなるため、合焦のための移動量が多くなり、レンズ系の大型化を招く。
【００２０】
（3）    75.0  ＜  R1R  ＜  110.0
条件式（3）は、物点距離が短くしてもケラレがなく、合焦移動量を小さくするために第１レンズ群の前群G１Ｆを負の屈折力となるように設定した場合において、合焦での像面湾曲を小さくするための条件である。条件式（3）の上限値を上回ると非点収差が補正不足となる。条件式（3）の下限値を下回ると、レンズの厚みが増すため、レンズ系の増大を招く。
【００２１】
（4）    9.0  ＜  ｜  ｆ11  ｜/  ｆｗ  ＜  20.0
条件式（2）に関し、物点距離が短くしてもケラレがなく、合焦移動量を小さくするために、第１レンズ群の前群Ｇ１Ｆを負の屈折力となるように設定した。前群Ｇ１Ｆを正の屈折力とすると、負の屈折力を持った場合よりも僅かに物点距離が長くなる。しかし、条件式（4）の範囲内であれば、前群Ｇ１Ｆが負の屈折力とほぼ同等の物点距離とすることができ、また、合焦移動量の増大を防ぐことができる。また、前群Ｇ１Ｆが正の屈折力を持つ場合には、後群Ｇ１Ｒのレンズ径が小さくなる。
【００２２】
（5）    65.0  ＜  νn1  ＜  100
条件式（5）は、第１レンズ群で発生する2次色収差の発生を抑えるための条件式である。条件式（5）の上限は現存する可視光線用光学硝子の限界値であり、上限を上回ると本発明の実施が不可能になる。条件式（5）の下限値を下回ると、２次の色収差が悪くなる光学硝子のみ使うことができることになる。
【００２３】
（6）    62.0  ＜  ν  ＜  100
条件式（6）は、第３レンズ群、第４レンズ群で発生する２次色収差、特に広角側における色収差の発生を抑えるための条件式である。条件式（6）の上限は現存する可視光線用光学硝子の限界値であり、上限を上回ると本発明の利用分野から大きく外れるので好ましくない。条件式（6）の下限値を下回ると、２次の色収差が悪くなる光学硝子のみ使うことができることになる。
【００２４】
第３レンズ群の後方に絞りを配置することにより、物点距離が短くなっても光線のケラレが発生しにくくなる。第１レンズ群の前群Ｇ１Ｆの屈折力を弱めているので、第４レンズ群内に配置することができ、さらに、第４レンズ群内のレンズによって光線が収束に向かうため、絞り径を小さくすることができ、レンズ系全体をコンパクトにすることができる。
【発明を実施するための最良の形態】
【００２５】
（第１実施形態）
第１実施形態のズームレンズは、図１のレンズ断面図に示すように、第１レンズ１ないし第１８レンズ１８からなる。第１レンズ群Ｇ１は、第１レンズ群前群Ｇ１Ｆと第１レンズ群後群Ｇ１Ｒからなる。第１レンズ群前群Ｇ１Ｆは、第１レンズ１及び第２レンズ２からなる。第１レンズ群後群Ｇ１Ｒは、第３レンズ３ないし第５レンズ５からなる。第２レンズ群Ｇ２は、第６レンズ６ないし第１０レンズ１０からなる。第３レンズ群Ｇ３は、第１１レンズ１１ないし第１３レンズ１３からなる。第４レンズ群Ｇ４は、第１４レンズ１４ないし第１８レンズ１８からなる。
【００２６】
以下の数値表において、ｆは焦点距離（ｍｍ）、FnoはＦナンバー、2ωは画角を示す。第１カラムのNOは面番号、第２カラムのＲは面番号に対応する面の曲率半径（ｍｍ）、第３カラムのＤは面番号に対応する面のレンズ厚さ及び空気間隔、第４カラムのＮｄは面番号に対応する面のｄ線（波長λ＝587.6nm）における屈折率、第５カラムのνｄはアッべ数を示す。なお、第３カラム中のｄは変倍によって変化する空気間隔を示す。ＳＴＯＰは開口絞りを示す。
【００２７】
ｆ＝71.5〜117.4〜194.0
Fno=2.88
2ω＝35.0〜20.8〜12.4°
【００２８】
NO            R               D            Ｎｄ          νｄ
1            336.3205        2.000        1.78590       43.9
2            78.4246         10.582       1.48749       70.4
3            -1004.7183      d3           1.00000
4            87.2384         2.000        1.69895       30.1
5            66.6285         11.387       1.48749       70.4
6            -2110.6560      0.200        1.00000
7            114.6596        7.805        1.49700       81.6
8            -532.5578       d8           1.00000
9            -495.1986       4.174        1.84666       23.8
10            -67.1510        1.200        1.64000       60.2
11            88.0318         2.754        1.00000
12            -233.3123       1.200        1.64000       60.2
13            51.9905         3.044        1.84666       23.8
14            97.6171         4.178        1.00000
15            -66.3984        1.200        1.78590       43.9
16            178.6227        d16          1.00000
17            2391.1738       3.258        1.80610       40.7
18            -100.7101       0.200        1.00000
19            132.6524        5.852        1.49700       81.6
20            -61.1716        1.200        1.84666       23.8
21            -160.2407       d21          1.00000
22            34.6669         7.041        1.49700       81.6
23            391.7479        1.927        1.00000
24            STOP            9.645        1.00000
25            -162.8613       1.200        1.62004       36.3
26            141.7540        22.815       1.00000
27            267.9086        3.303        1.83400       37.3
28            -99.3972        9.536        1.00000
29            -27.1236        1.200        1.80610       33.3
30            -77.3739        0.433        1.00000
31            80.0747         4.025        1.62004       36.3
32            -293.1170       46.696       1.00000
【００２９】
変倍における可変間隔
ｆ            71.5            117.4        194.0
d3            20.101          20.101       20.101
d8            1.196           23.894       37.806
d16           32.139          20.845       2.041
d21           12.812          1.408        6.300
【００３０】
0.95mにおける繰り出し量      19.124mm
f1=106.23
f2=-31.88
f3=85.91
f4=107.85
f11=-1031.59
f12=99.40
fw=71.50
ft=194.00
R1R=87.2384
νn1=70.4
ν=81.6
【００３１】
第１実施形態のズームレンズの広角端無限遠における球面収差及び正弦条件は、図２（Ａ）に示すとおりである。FnoはＦナンバーを示す。グラフＤＬは、ｄ線（５８７．５６ｎｍ）の収差を示す。グラフＧＬは、ｇ線（４３５．８３ｎｍ）の収差を示す。点線グラフは、正弦条件を示す。
広角端無限遠の倍率色収差は、図２（Ｂ）に示すとおりである。像高Ｙは、１４．５ｍｍである。ＣＡは、ｄ線（５８７．５６ｎｍ）に対するｇ線（４３５．８３ｎｍ）の倍率色収差を示す。
広角端無限遠の非点収差は、図２（Ｃ）に示すとおりである。像高Ｙは、１４．５ｍｍである。実線ＡＡ１は、ｄ線（５８７．５６ｎｍ）の球欠方向、点線ＡＡ２は、ｄ線（５８７．５６ｎｍ）の子午方向を示す。
広角端無限遠の歪曲収差は、図２（Ｄ）に示すとおりである。像高Ｙは、１４．５ｍｍである。実線ＤＡは、ｄ線（５８７．５６ｎｍ）の歪曲収差を示す。
【００３２】
第１実施形態のズームレンズのズーム中間域無限遠における球面収差及び正弦条件は、図３（Ａ）に示すとおりである。ズーム中間域無限遠の倍率色収差は、図３（Ｂ）に示すとおりである。ズーム中間域無限遠の非点収差は、図３（Ｃ）に示すとおりである。ズーム中間域無限遠の歪曲収差は、図３（Ｄ）に示すとおりである。収差グラフの表示方法は、図２（Ａ）ないし図２（Ｄ）と同じである。
【００３３】
第１実施形態のズームレンズの望遠端無限遠における球面収差及び正弦条件は、図４（Ａ）に示すとおりである。望遠端無限遠の倍率色収差は、図４（Ｂ）に示すとおりである。望遠端無限遠の非点収差は、図４（Ｃ）に示すとおりである。望遠端無限遠の歪曲収差は、図４（Ｄ）に示すとおりである。収差グラフの表示方法は、図２（Ａ）ないし図２（Ｄ）と同じである。
【００３４】
（第２実施形態）
第２実施形態のズームレンズは、図５のレンズ断面図に示すように、第１レンズ１０１０１ないし第１９レンズ１１９からなる。第１レンズ群Ｇ１０１は、第１レンズ群前群Ｇ１０１Ｆと第１レンズ群後群Ｇ１０１Ｒからなる。第１レンズ群前群Ｇ１０１Ｆは、第１レンズ１０１及び第２レンズ１０２からなる。第１レンズ群後群Ｇ１０１Ｒは、第３レンズ１０３ないし第５レンズ１０５からなる。第２レンズ群Ｇ１０２は、第６レンズ１０６ないし第１０レンズ１１０からなる。第３レンズ群Ｇ１０３は、第１１レンズ１１１ないし第１３レンズ１１３からなる。第４レンズ群Ｇ１０４は、第１４レンズ１１４ないし第１９レンズ１１９からなる。
【００３５】
ｆ＝71.5〜116.9〜194.0
Fno=2.88
2ω＝35.1〜21.0〜12.5°
【００３６】
NO            R              D            Nd          νｄ
1            153.7735       2.00         1.77250      49.6
2            74.6839        10.00        1.48749      70.2
3            -4608.9863     d3           1.00000
4            147.3139       2.00         1.80518      25.4
5            99.4765        8.00         1.49700      81.6
6            845.5814       0.20         1.00000
7            86.2302        8.00         1.49700      81.6
8            -537.2767      d8           1.00000
9            -750.6938      4.00         1.80518      25.4
10            -71.8458       1.50         1.77250      49.6
11            45.2761        5.00         1.00000
12            -112.0637      1.20         1.48749      70.2
13            47.1833        4.00         1.80518      25.4
14            216.6493       3.80         1.00000
15            -62.1003       1.20         1.77250      49.6
16            -600.9493      d16          1.00000
17            -221.4068      4.00         1.69680      55.5
18            -86.3707       0.20         1.00000
19            213.1997       7.00         1.51633      64.2
20            -47.6529       1.20         1.71736      29.5
21            -120.4839      d21          1.00000
22            65.3145        4.50         1.48749      70.2
23            462.6483       0.20         1.00000
24            34.3915        6.00         1.49700      81.6
25            136.2786       3.00         1.00000
26            STOP           6.00         1.00000
27            -528.3799      2.00         1.64769      33.8
28            53.4868        20.00        1.00000
29            112.8329       4.00         1.51633      64.2
30            -82.7673       20.00        1.00000
31            -24.5534       1.50         1.77250      49.6
32            -67.5273       0.2          1.00000
33            60.5735        5.00         1.62004      36.3
34            -387.9204      40.756       1.00000
【００３７】
変倍における可変間隔
ｆ            71.5           116.9         194.0
d3            18.880         18.990        18.990
d8            1.588          22.737        36.836
d16           30.121         20.577        2.672
d21           13.421         1.816         5.622
【００３８】
１mにおける繰り出し量          17.062mm
f1=          107.72
f2=          -30.50
f3=          110.00
f4=          88.77
ｆ11=        750.00
ｆ12=        120.00
fw=          71.50
ft=          194.00
R1R=         147.3139
νn1=70.2
ν=81.6
【００３９】
第２実施形態のズームレンズの広角端無限遠における球面収差及び正弦条件は、図６（Ａ）に示すとおりである。グラフＤＬは、ｄ線（５８７．５６ｎｍ）の収差を示す。グラフＧＬは、ｇ線（４３５．８３ｎｍ）の収差を示す。点線グラフは、正弦条件を示す。
広角端無限遠の倍率色収差は、図６（Ｂ）に示すとおりである。像高Ｙは、１４．５ｍｍである。ＣＡは、ｄ線（５８７．５６ｎｍ）に対するｇ線（４３５．８３ｎｍ）の倍率色収差を示す。
広角端無限遠の非点収差は、図６（Ｃ）に示すとおりである。像高Ｙは、１４．５ｍｍである。実線ＡＡ１は、ｄ線（５８７．５６ｎｍ）の球欠方向、点線ＡＡ２は、ｄ線（５８７．５６ｎｍ）の子午方向を示す。
広角端無限遠の歪曲収差は、図６（Ｄ）に示すとおりである。像高Ｙは、１４．５ｍｍである。実線ＤＡは、ｄ線（５８７．５６ｎｍ）の歪曲収差を示す。
【００４０】
第２実施形態のズームレンズのズーム中間域無限遠における球面収差及び正弦条件は、図７（Ａ）に示すとおりである。ズーム中間域無限遠の倍率色収差は、図７（Ｂ）に示すとおりである。ズーム中間域無限遠の非点収差は、図７（Ｃ）に示すとおりである。ズーム中間域無限遠の歪曲収差は、図７（Ｄ）に示すとおりである。収差グラフの表示方法は、図６（Ａ）ないし図６（Ｄ）と同じである。
【００４１】
第２実施形態のズームレンズの望遠端無限遠における球面収差及び正弦条件は、図８（Ａ）に示すとおりである。望遠端無限遠の倍率色収差は、図８（Ｂ）に示すとおりである。望遠端無限遠の非点収差は、図８（Ｃ）に示すとおりである。望遠端無限遠の歪曲収差は、図８（Ｄ）に示すとおりである。収差グラフの表示方法は、図６（Ａ）ないし図６（Ｄ）と同じである。
【図面の簡単な説明】
【００４２】
【図１】図１は第１実施形態のズームレンズの広角端のレンズ断面図である。
【図２】図２は第１実施形態のズームレンズの広角端無限遠の収差図である。
【図３】図３は第１実施形態のズームレンズのズーム中間域無限遠の収差図である。
【図４】図４は第１実施形態のズームレンズの望遠端無限遠の収差図である。
【図５】図５は第２実施形態のズームレンズの広角端のレンズ断面図である。
【図６】図６は第２実施形態のズームレンズの広角端無限遠の収差図である。
【図７】図７は第２実施形態のズームレンズのズーム中間域無限遠の収差図である。
【図８】図８は第２実施形態のズームレンズの望遠端無限遠の収差図である。
【符号の説明】
【００４３】
ＳＴＯＰ            開口絞り
１、１０１          第１レンズ
Ｇ１                第１レンズ群
Ｇ１Ｆ              第１レンズ群前群
Ｇ１Ｒ              第１レンズ群後群
【図１】
2008216480.tif 000003
【図２】
2008216480.tif 000004
【図３】
2008216480.tif 000005
【図４】
2008216480.tif 000006
【図５】
2008216480.tif 000007
【図６】
2008216480.tif 000008
【図７】
2008216480.tif 000009
【図８】
2008216480.tif 000010